(57)【要約】      （修正有）【課題】折畳み可能な椅子と、荷物を乗せる積載部と、荷物を乗せた椅子を背負って運搬する背負部とを一体に設けてなる折畳み椅子を提供する。【解決手段】一対の第１、２肘掛フレーム３、１５と、互いにクロスさせた交点Ｓを軸支した一対の第１、２腰掛フレーム７、１１を軽量で強度を有するパイプ状の軽金属材により幅と高さのサイズをそれぞれ違えて相似形をした門型に形成する。前記第１、２肘掛フレーム３、１５と一対の第１、２腰掛フレーム７、１１を第１、２リンク片２０、２６により互いに枢動可能に軸支して椅子部２を形成し、椅子部２の折畳みは、第１肘掛フレーム３の内側に第１、２腰掛フレーム７、１１と、第２肘掛フレーム１５を順に収納可能に形成する。【選択図】図１
0003182087.tif 000002
【実用新案登録請求の範囲】
【請求項１】
背面側に背当部（３３）を有した一対の第１、２肘掛フレーム（３）、（１５）と、互いにクロスさせた交点Ｓを枢動可能に軸支して上部に座部（３１）を有した一対の第１、２腰掛フレーム（７）、（１１）とを第１、２リンク片（２０）、（２６）によりそれぞれ連結して開閉可能な椅子部（２）を形成し、前記第１肘掛フレーム（３）の一側に少なくとも１以上の支持脚（４２）を折畳み可能に取付けた積載部（４０）を設け、前記第２肘掛フレーム（１５）の一側に前記椅子部２を背負うための背負部（４５）を設けてなることを特徴とする折畳み椅子。
【請求項２】
前記第１、２肘掛フレーム（３）、（１５）および第１、２腰掛フレーム（７）、（１１）を、それぞれ軽量で強度を有した軽金属材からなるパイプの幅と高さのサイズを違えて相似形の門型に形成してなり、第１肘掛フレーム（３）の内側に第１腰掛フレーム（７）を収納し、該第１腰掛フレームの内側に第２腰掛フレーム（１１）を収納し、該第２腰掛フレームの内側に第２肘掛フレーム（１５）を収納し、それぞれ順に収納可能に形成してなることを特徴とする請求項１記載の折畳み椅子。
【請求項３】
前記第１リンク片（２０）は、第２腰掛フレーム（１１）の脚部（１３）を収納する溝部（２１）を設けて断面コ字形に形成し、該第１リンク片の一端内側壁面（２２）と、前記第２肘掛フレーム（１５）の外側壁面を軸（１５ａ）で軸支し、第１リンク片（２０）の他端外側壁面（２３）と、前記第１腰掛フレーム（７）の内壁面とを軸（７ａ）で軸支し、
第２リンク片（２６）は、前記第１、２腰掛フレーム（７）、（１１）の脚部（９）、（１３）を収納する大溝部（２７）を設けて断面コ字形に形成し、該第２リンク片の一端外側壁面（２９）と前記第１肘掛フレーム（３）の内側壁面とを軸（３ａ）で軸支し、他端の内側壁面（２８）と第２腰掛フレーム（１１）の内側壁面とを軸（１１ａ）で軸支してなり、
前記第１、２肘掛フレーム（３）、（１５）と第１、２腰掛フレーム（７）、（１１）をそれぞれ折り畳むと、第１リンク片（２０）の溝部（２１）内に第２腰掛フレーム（１１）の脚部（１３）が収納され、第２リンク片（２６）の大溝部（２７）内に前記第１、２腰掛フレーム（７）、（１１）の脚部（９）、（１３）が収納されることにより、前記第１肘掛フレーム（３）の内側にそれぞれ収納可能に形成してなることを特徴とする請求項１または２記載の折畳み椅子。  
【請求項４】
前記椅子部（２）を構成する座部（３１）は、布材、合成皮革材または合成樹脂材などのシート地を第１、２腰掛フレーム（７）、（１１）の水平部（８）、（１２）の間に張架し、背当部（３３）は、布材、合成皮革材または合成樹脂材などのシート材を前記第１、２肘掛フレーム（３）、（１５）の背面側の上方にそれぞれ設けた第１、２支持アーム（３４）、（３５）に張架してなり、前記第１、２肘掛フレーム（３）、（１５）と第１、２腰掛フレーム（７）、（１１）の開脚幅は前記座部（３１）のシート地幅で停止すると共に、前記第１、２リンク片（２０）、（２６）の一側が、軸（７ａ）、（１１ａ）方向に傾いて係止することにより、前記椅子部（２）をロック可能に形成してなることを特徴とする請求項１ないし３のいずれか１記載の折畳み椅子。
【請求項５】
前記第１肘掛フレーム（３）の外側に形成した積載部（４０）は、前後脚部（５）、（５´）の間に断面コ字形に形成した荷台フレーム（４１）を取付け、該荷台フレームの下部に一対の支持脚（４２）を折畳み可能に取付けてなり、第２肘掛フレーム（１５）に設けた背負部（４５）は、第２肘掛フレーム（１５）の前後脚（１７）、（１７´）の内側で前記第１肘掛フレーム（３）に取付けた積載部（４０）の荷台フレーム（４１）と当たらない高さに断面コ字形に形成した腰当フレーム（４６）を設け、該腰当フレームの外側に腰当ベルト（４７）を形成し、第２肘掛フレーム（１５）の外側上下方向に一対の背負ベルト（４９）を取付けてなることを特徴とする請求項１記載の折畳み椅子。
【考案の詳細な説明】
【技術分野】
【０００１】
本考案は、キャンプや釣りやハイキングさらには災害時の避難用として使用する折畳み椅子の改良に関する。
【背景技術】
【０００２】
折畳み椅子は、キャンプや釣りなどのレジャーにおいて、小型軽量で持ち運びに便利であることか広く使用され、その構造も多種多様なものがある。一方、キャンプや釣りまたはハイキングなどにはリュックサックに食料や衣類などの用具を収納し、リュックサックに入らないキャンプ用具であるテントや寝袋などの大型のものは背負子などにくくりつけて運搬されている。
【０００３】
前記した折畳み椅子、リュックサックおよび背負子は、それぞれキャンプや釣りなどのレジャーに行くための必須アイテムであるが、その用途、機能はそれぞれ全く相違する。そのため、前記用具を一人で持ち運ぶとすると、各用具が嵩張り一纏めにするのが困難である。
【０００４】
そのため、前記用具のうち、折畳み椅子にリュックサックを取付けたものや、折畳み椅子にリュックサックと背負子を取付けて持ち運びを便利にしたものなどが知られている。
【０００５】
しかし、後記（特許文献１）のリュックサックは、折畳み椅子の一側にリュック嚢の背負面を取付け、該折畳み椅子の反対側に背負部を設けて構成したもので、リュック嚢と椅子部とを分離することができない。また、椅子部は座部を有するだけで、肘掛部や背もたれ部を有しない。さらには、椅子として使用すると、リュック嚢の底面が地面と接地するため、リュック嚢の底面が汚れたり濡れたりするおそれがあり、どこでも自由に置くことができない。
【０００６】
また、（特許文献２、３）に示す折畳み椅子は、各フレームを折り畳んだ際、各フレームが互いに垂直方向に枢動して接合して幅を狭くすることはできるが、一つのフレーム内に他のフレームを収容してコンパクトにすることができない。さらに、リュックサックを背もたれ側に取付けた構成であるため、椅子に座った状態でリュックサックから荷物を取出す動作をすると、背面側に振り向かなければならず取り出し難く不便である。さらにはまた、椅子として使用すると、リュックサックの底面が地面と接地するため、リュックサックの底面が汚れたり濡れたりするおそれがあり、どこでも自由に使用することができないという問題点を有している。
【先行技術文献】
【特許文献】
【０００７】
【特許文献１】実開昭４８−１０３４１７号公報
【特許文献２】特開平８−２４０４５号公報
【特許文献３】特開平１１−２８５４０７号公報
【考案の開示】
【考案が解決しようとする課題】
【０００８】
本考案が解決しようとする課題は、一台の折畳み椅子で、椅子を構成する各フレームをコンパクトに纏めて収納でき、椅子として使用する場合は肘掛部と背もたれ部を設けてゆったり座れ、さらに折り畳んだ椅子の一側にリュックサックなどの荷物を積載可能にし、且つ、前記荷物を乗せた椅子部を背負って移動可能にすることを目的とする。
【課題を解決するための手段】
【０００９】
上記課題を解決するために、本考案は、背面側に背当部３３を有した一対の第１、２肘掛フレーム３、１５と、互いにクロスさせた交点Ｓを枢動可能に軸支して上部に座部３１を有した一対の第１、２腰掛フレーム７、１１とを第１、２リンク片２０、２６によりそれぞれ連結して開閉可能な椅子部２を形成し、前記第１肘掛フレーム３の一側に少なくとも１以上の支持脚４２を折畳み可能に取付けた積載部４０を設け、前記第２肘掛フレーム１５の一側に前記椅子部２を背負うための背負部４５を設けてなることを特徴とする。また、前記第１、２肘掛フレーム３、１５および第１、２腰掛フレーム７、１１は、それぞれ軽量で強度を有した軽金属材からなるパイプの幅と高さのサイズを違えて相似形の門型に形成してなり、第１肘掛フレーム３の内側に第１腰掛フレーム７を収納し、該第１腰掛フレームの内側に第２腰掛フレーム１１を収納し、該第２腰掛フレームの内側に第２肘掛フレーム１５をそれぞれ収納可能に形成してなることを特徴とする。さらに、前記第１リンク片２０は、第２腰掛フレーム１１の脚部１３を収納する溝部２１を設けて断面コ字形に形成し、該第１リンク片の一端内側壁面２２と、前記第２肘掛フレーム１５の外側壁面を軸１５ａで軸支し、第１リンク片２０の他端外側壁面２３と、前記第１腰掛フレーム７の内壁面とを軸７ａで軸支し、第２リンク片２６は、前記第１、２腰掛フレーム７、１１の脚部９、１３を収納する大溝部２７を設けて断面コ字形に形成し、該第２リンク片の一端外側壁面２９と前記第１肘掛フレーム３の内側壁面とを軸３ａで軸支し、他端の内側壁面２８と第２腰掛フレーム１１の内側壁面とを軸１１ａで軸支してなり、前記第１、２肘掛フレーム３、１５と第１、２腰掛フレーム７、１１をそれぞれ折り畳むと、第１リンク片２０の溝部２１内に第２腰掛フレーム１１の脚部１３が収納され、第２リンク片２６の大溝部２７内に前記第１、２腰掛フレーム７、１１の脚部９、１３が収納されることにより、前記第１肘掛フレーム３の内側にそれぞれ収納可能に形成してなることを特徴とする。さらにはまた、前記椅子部２を構成する座部３１は、布材、合成皮革材または合成樹脂材などのシート地を第１、２腰掛フレーム７、１１の水平部８、１２の間に張架し、背当部３３は、布材、合成皮革材または合成樹脂材などのシート材を前記第１、２肘掛フレーム３、１５の背面側の上方にそれぞれ設けた第１、２支持アーム３４、３５に張架してなり、前記第１、２肘掛フレーム３、１５と第１、２腰掛フレーム７、１１の開脚幅は前記座部３１のシート地幅で停止すると共に、前記第１、２リンク片２０、２６の一側が軸７ａ、１１ａ方向い傾いて係止することにより、前記椅子部２をロック可能に形成してなることを特徴とする。また、前記第１肘掛フレーム３の外側に形成した積載部４０は、前後脚部５、５´の間に断面コ字形に形成した荷台フレーム４１を取付け、該荷台フレームの下部に一対の支持脚４２を折畳み可能に取付けてなり、第２肘掛フレーム１５に設けた背負部４５は、第２肘掛フレーム１５の前後脚１７、１７´の内側で前記第１肘掛フレーム３に取付けた積載部４０の荷台フレーム４１と当たらない高さに断面コ字形に形成した腰当フレーム４��を設け、該腰当フレームの外側に腰当ベルト４７を形成し、第２肘掛フレーム１５の外側上下方向に一対の背負ベルト４９を取付けてなることを特徴とする。
【００１０】
したがって、本考案は、一台の折畳み椅子１の椅子部２を、第１、２肘掛フレーム３、１５と、一対の第１、２腰掛フレーム７、１１を軽量で強度性を有するパイプ状の軽金属材により、それぞれ幅（水平部）と高さ（脚部）のサイズを違えて門型の相似形に形成し、前記各フレームを第１、２リンク片２０、２６で連結して形成したことにより、前記第１肘掛フレーム３の内側に第１、２腰掛フレーム７、１１および第２肘掛フレーム１５の順にコンパクトに纏めて収納することができ、各フレームを開脚すると簡単に椅子部２を形成することができる。また、前記第１肘掛フレーム３の外側に設けた積載部４０は、地面と離れた位置に設けてあるため、積載部４０に載せた荷物の底面が地面と接地しないため汚れたり濡れたりするおそれがない。さらに、第２肘掛フレーム１５の一側に設けた背負部４５は、腰当フレーム４６と腰ベルト４７と背負ベルト４９により、しっかりと背中にフィットさせることができるので、腰を痛めることなく楽に背負うことができる。
【図面の簡単な説明】
【００１１】
【図１】各フレームを開脚させて椅子部を形成した状態の正面図である。
【図２】椅子部の左側斜視図である。
【図３】椅子部の右側斜視図である。
【図４】椅子部を半折り状態にした正面図である。
【図５】第１肘掛フレーム内に第１、２腰掛フレームと第２肘掛フレームを折り畳んで収納した状態の側面図である。
【図６】図５の左側面図である。
【図７】図５の右側面図である。
【図８】第１、２リンク片を示す要部拡大説明図である。
【図９】第１リンク片の連結状態を示す拡大斜視図である。
【図１０】第２リンク片の連結状態を示す拡大斜視図である。
【図１１】積載部に荷物を取付けた使用状態を示す側面図である。
【考案を実施するための最良の形態】
【００１２】
本考案の実施の形態を図面に基づいて説明すると、図１は各フレームを開脚させて椅子部を形成した状態の正面図、図２は椅子部の左側斜視図、図３は椅子部の右側斜視図、図４は椅子部を半折状態にした正面図、図５は第１肘掛フレーム内に第１、２腰掛フレームと第２肘掛フレームを折り畳んで収納した状態の側面図である。折畳み椅子１は、軽量で丈夫な軽金属材、例えば、アルミ材、ステンレス材、またはチタン材などを断面円形または矩形に形成したパイプ材で複数の第１、２肘掛フレーム３、１５と、第１、２腰掛フレーム７、１１を形成し、該第１、２肘掛フレームおよび第１、２腰掛フレームを第１、２リンク片２０、２６でそれぞれ連結して折畳み可能な椅子部２を形成してある。
【００１３】
前記折畳み椅子１は、第１、２腰掛フレーム７、１１の間に座部３１を形成し、第１、２肘掛フレーム３、１５の間に背当部３３を設け、さらに前記第１肘掛フレーム３の一側に荷物を積載するための積載部４０を取付け、第２肘掛フレーム１５の一側に折り畳んだ椅子部２を背負って移動するための背負部４５を設けてある。
【００１４】
前記折畳み椅子１は、図１に示すごとく、水平部（肘掛部）と脚部それぞれ一体に形成した門型にした第１、２肘掛フレーム３、１５と第１、２腰掛フレーム７、１１のサイズを違えて形成し、第１肘掛フレーム３の内側に第１腰掛フレーム７を収納し、該第１腰掛フレームの内側に第２腰掛フレーム１１を収納し、該第２腰掛フレームの内側に第２肘掛フレーム１５の順にをそれぞれ収納可能に形成してある。
【００１５】
椅子部２は、一対の第１、２肘掛フレーム３、１５の下方と、脚部９、１３の中央をクロスさせて交点Ｓを中心に枢動可能に開閉する第１、２腰掛フレーム７、１１の下端とをそれぞれ軸３ｂ、１５ｂで枢動可能に軸支し、前記第１、２腰掛フレーム７、１１の上方と、第１、２肘掛フレーム３、１５の上方とを第１、２リンク片２０、２６によりそれぞれ枢動可能に連結して形成してある。
【００１６】
前記第１リンク片２０は、図８、９に示すごとく、前記第２腰掛フレーム１１の脚部１３が収納する溝部２１を設けて断面コ字形に形成し、内側壁面２２の一端と、前記第２肘掛フレーム１５の脚部１７の外側壁面の上方とを軸１５ａで軸支し、他端の外側壁面２３と、前記第１腰掛フレーム７の内側壁面の上方とをそれぞれ軸７ａで軸支して連結してある。
【００１７】
第２リンク片２６は、図８、１０に示すごとく、前記第１、２腰掛フレーム７、１１の脚部９、１３が収納する大溝部２７を設けて断面コ字形に形成し、該第２リンク片の一端外側壁面２９と前記第１肘掛フレーム３の脚部５の内側壁面とを軸３ａで軸支し、他端の内側壁面２８と第２腰掛フレーム１１の内側壁面とを軸１１ａで軸支してそれぞれ枢動可能に連結してある。
【００１８】
前記第１、２リンク片２０、２６は、開脚して椅子部２を形成したとき、第１、２腰掛フレーム７、１１との軸７ａ、１１ａ側を水平方向より下方に下げて係止させることによりロックし、第１、２肘掛フレーム３、１５が閉脚方向に移動するのを防止している。椅子部２を閉脚する場合は、前記第１、２リンク片２０、２６の軸７ａ、１１ａ側を水平方向より上方に引き上げてロックを解除すると同時に第１、２肘掛フレーム３、１５を閉脚方向に移動させることにより閉脚することができる。
【００１９】
前記椅子部２を折り畳む場合、前記したごとく、第１、２リンク片２０、２６を持ち上げて第１、２肘掛フレーム３、１５を互いに接近させることにより、図８に示すごとく、サイズが相違する各フレームが垂直方向にそれぞれ枢動して互いに接近し、第２リンク片２６の大溝部２７に前記第１、２腰掛フレーム７、１１の脚部９、１３が収納され、第１リンク片２０の溝部２１に第３腰掛フレーム１１の脚部１３が収納されることにより、第１肘掛フレーム３の内側にそれぞれスムースに折り畳まれて収納される。
【００２０】
第１肘掛フレーム３の所定箇所に取付けたベルト留部６は、少なくとも１以上、好ましくは、肘掛部４に２個、脚部５の下方に一つを取付けてある。このベルト留部６にゴム紐やベルトを通して積載部４０に載せる荷物Ｙをしっかりと固定して留めることができるので、移動中に荷物がズレたり脱落するのを防止することができる。
【００２１】
前記座部３１は、布材、合成皮革材または合成樹脂材などのシート地を第１、２腰掛フレーム７、１１の水平部８、１２の間に張架して形成し、椅子部２を構成する第１、２腰掛フレーム７、１１を開脚させたとき、座部３１を構成するシート地幅に広がると第１、２腰掛フレーム７、１１の開脚が停止して所定幅の座部３１を形成することができる。
【００２２】
背当シート３３は、布材、合成皮革材または合成樹脂材などのシート材からなり、第１肘掛フレーム３の背面側脚部５の上方に取付けた第１支持アーム３４と、第２肘掛フレーム１５の背面側脚部１７の外側面上方に取付けた第２支持アーム３５との間に張架してある。
【００２３】
前記第１肘掛フレーム３の外側に設けた積載部４０は、該第１肘掛フレームの前後脚５、５´の間に断面コ字形に形成した荷台フレーム４１の両端を取付け、該荷台フレームの下部に少なくとも１以上、好ましくは、２本の支持脚４２を折畳み可能に取付けてある。前記荷台フレーム４１を第１肘掛フレーム３の前後脚５、５´の間に取付けることにより、第１肘掛フレーム３の強度を保持し、該荷台フレームに支持脚４２を取付けたことにより重い荷物Ｙを戴置可能に形成してある。
【００２４】
前記積載部４０に設けた支持脚４２は、折畳み椅子１を閉脚したときに補助脚の役目をして折畳み椅子１が倒れるのを防止することができる。折畳み椅子１を開脚して椅子部とした場合、積載部４０を支持することにより、積載部４０に乗せた重い荷物（リュックサック）Ｙで折畳み椅子１が傾斜したり倒れるのを防止することができる。さらに、運搬時には荷台フレーム４１の内側に支持脚４２を折り畳むことにより、移動中に不要な突起部に引っ掛かるのを防止することができる。  
【００２５】
第２肘掛フレーム１５に取付けた背負部４５は、図１、３に示すごとく、第２肘掛フレーム１５の前後脚部１７、１７´の内側で、前記第１肘掛フレーム３に取付けた積載部４０の荷台フレーム４１と当たらない高さに断面コ字形の腰当フレーム４６を取付けて第２肘掛フレーム１５の脚部を補強し、該腰当フレームの外側に腰当ベルト４７を取付けると共に、第２肘掛フレーム１５の上下方向に一対の背負ベルト４９を取付けてある。
【００２６】
前記背負部４５を構成する腰当ベルト４７と背負ベルト４９は、背負う人の体型に合わせてベルトの長さを調節してワンタッチで着脱することができる周知の締着部４８を取付けて着脱可能に取付けたことにより、しっかりと背中にフィットさせることができるので、腰を痛めることなく楽に背負うことができる。
【００２７】
以下、本考案の実施の形態の作用について説明すると、折畳み椅子１は、背負子として使用する場合、第１肘掛フレーム３内に収容された各フレームが飛び出すのを防止するため、各フレームを留めるために着脱可能な面ファスナーからなる帯片や、第１肘掛フレーム側から内側の各フレームを係止するストッパー（図示せず）を取付けて留め、背当部３３は、第１、２支持アーム３４、３５に巻き付けて帯片（図示せず）などで着脱可能に留めて歩行時に邪魔にならないようにしてある。
【００２８】
折畳み椅子１を背負って移動する場合、図１１に示すごとく、第１肘掛フレーム３の外側に位置した積載部４０に荷物Ｙを乗せ、第２肘掛フレーム１５に取付けた背負部４５の背負ベルト４９と腰当ベルト４７を締めて背負うことにより移動可能に形成してある。前記積載部４０に乗せる荷物Ｙは、第１肘掛フレーム３の所定箇所に取付けたベルト留部６にゴム紐やベルトを通して荷物Ｙをしっかりと固定して留めることができるので、移動中に荷物がズレたり脱落するのを防止することができる。
【００２９】
折畳み椅子１を背負ったとき、腰当フレーム４６の内側に腰当ベルト４４を取付けてあるため、腰当フレーム４６が直接腰に当たらないので腰を痛めるおそれがない。さらに、積載部４０に荷物を乗せて背負った折畳み椅子１を、背負ベルト４９と腰当ベルト４７の長さを調節して身体にフィットさせて取付けることにより、移動中に折畳み椅子１が左右にぐらつくことなく安定して背負うことができ、登山やハイキングまたは災害時の避難などで長時間歩いても疲労感を軽減することができる。
【００３０】
折畳み椅子１に設けた戴置部４０は、荷台フレーム４１の下部に設けた支持脚４２を介して一定の高さで第１肘掛フレーム３に取付けたことにより、折畳み椅子１を畳んで立掛けたときの転倒を防止し、椅子部２を形成した場合、地面と戴置部４０との間に一定の高さがあるので、荷物Ｙを支持し、且つ、荷物が直接地面と接しないため、底面が汚れたり濡れたりすることを防止できる。
【００３１】
また、支持脚４２を戴置部４０に設けたことにより、戴置部に載せた荷物Ｙの重量で折畳み椅子１が倒れるのを防止して安定して支持することができる。また、運搬時には荷台フレーム４１の内側に支持脚４２を折り畳むことにより、移動中に不要な突起部に引っ掛かるのを防止することができ安全である。
【００３２】
折畳み椅子１の各フレームを開脚して椅子部２を形成する場合、ストッパー（図示せず）を外し、第２肘掛フレーム１５を第１肘掛フレーム３の内側から引き出だすと、それぞれ垂直方向に畳まれている第１、２腰掛フレーム７、１１と第１、２リンク片２０、２６が第２肘掛フレーム１５に引っ張られて開きながら開脚すると、座部３１のシート地が所定幅まで開いた位置で停止し、且つ、第１、２リンク片２０、２６の一方、軸７ａ、１１ａ側を水平位置より下げて係止することにより、第１、２腰掛フレーム７、１１の閉脚をロックすることができる。したがって、椅子部２を構成する第１、２肘掛フレーム３、１５、と第１、２腰掛フレーム７、１１を固定することができる。
【００３３】
椅子部２を閉脚して畳む場合、前記第１、２リンク片２０、２６の軸７ａ、１１ａ側を上方に持ち上げてロックを解除すると同時に第２肘掛フレーム１５を第１肘掛フレーム３方向、または、第１肘掛フレーム３と第２肘掛フレーム１５を互いの寄せる方向に移動させると、第１、２腰掛フレーム７、１１が支点Ｓを中心に縦方向に回動して閉脚すると共に、第１リンク片２０の溝部２１に第２腰掛フレーム１１の脚部１３が収納され、第２リンク片２６の大溝部２７に前記第１、２腰掛フレーム７、１１の脚部９、１３が収納されることにより、それぞれサイズが相違する各フレームを順番に折り畳んで第１肘掛フレーム３の内側に収納されるる。
【００３４】
前記第１、２リンク片２０、２６は、サイズが相違する第１、２肘掛フレーム３、１５と第１、２腰掛フレーム７、１１とを連結するために幅が相違する溝部２１、大溝部２７をそれぞれ設けて形成したことにより、各フレームをスムースに誘導して第１肘掛フレーム３内に収納することができる。
【００３５】
前記折畳み椅子１は、椅子部２を折畳み可能に形成し、第１肘掛フレーム３の一側に荷物を乗せる積載部４０を設け、第２肘掛フレーム１５の側面に折畳み椅子１を背負って移動するための背負部４５を設けたことにより、一台で登山やハイキングなどでの荷物運びや、長時間歩いて疲れたときの休憩、さらには、キャンプ場で座るための椅子として使用することができる。さらにはまた、災害時の緊急避難するときに荷物を乗せて移動、休憩などを有効的に行うことができる。また、休憩時には、椅子部２の横に戴置部４０が位置するため、座ったままで簡単にリュックサックから物を取出すことができ、且つ、リュックサックの底面の汚れを防止することができるなど有効的な機能的を有するものである。
【符号の説明】
【００３６】
１      折畳み椅子
２      椅子部
３      第１肘掛フレーム
４      肘掛部
５      脚部
７      第１腰掛フレーム
８      水平部
９      脚部
１１    第２腰掛フレーム
１２    水平部
１３    脚部
１５    第２肘掛フレーム部
１６    肘掛部
１７    脚部
２０    第１リンク片
２１    溝部
２２    内側壁面
２３    外側壁面
２６    第２リンク片
２７    大溝部
２８    内側壁面
２９    外側壁面
３１    座部
３３    背当部
３４    第１支持アーム
３５    第２支持アーム
４０    積載部
４１    荷台フレーム
４２    支持脚
４５    背負部
４６    腰当フレーム
４７    腰当ベルト
４９    背負ベルト
Ｙ      荷物
【図１】
0003182087.tif 000003
【図２】
0003182087.tif 000004
【図３】
0003182087.tif 000005
【図４】
0003182087.tif 000006
【図５】
0003182087.tif 000007
【図６】
0003182087.tif 000008
【図７】
0003182087.tif 000009
【図８】
0003182087.tif 000010
【図９】
0003182087.tif 000011
【図１０】
0003182087.tif 000012
【図１１】
0003182087.tif 000013